(57)【要約】      （修正有）【課題】搬送又は携帯の時、特に国内外での長距離搬送において、マットレス全体の梱包体積を低減させ、搬送を便利にするように、マットレスを支持板の配列方向に沿ってリール状に巻き取ることができるベッドを提供する。【解決手段】ベッドは、着脱可能に接続されたマットレス１０及び支持脚２０を備え、マットレスは、マットレス本体と、マットレス本体に接続された複数の支持板とを有し、複数の支持板は、マットレスが支持板の配列方向に沿って巻き取ることができるように、マットレス本体の一方の面に間隔を隔てて配列されており、各支持脚２０が支持板と着脱可能に接続されている。【選択図】図１
0003213233.tif 000002
【実用新案登録請求の範囲】
【請求項１】
マットレス本体及び前記マットレス本体に接続されている複数の支持板を有するマットレスと、
前記支持板と着脱可能に接続されている複数の支持脚と、
を備えるベッドであって、
複数の前記支持板が、前記マットレスを前記支持板の配列方向に沿って巻き取ることができるように前記マットレス本体の一方の面に間隔を隔てて配列されていることを特徴とするベッド。
【請求項２】
前記マットレス本体は直方体構造であり、複数の前記支持板は前記マットレス本体の長手方向に沿って配列されていることを特徴とする請求項１に記載のベッド。
【請求項３】
前記支持板は長尺状構造となっており、前記支持板の長手方向はマットレス本体の幅方向と一致していることを特徴とする請求項２に記載のベッド。
【請求項４】
前記マットレスはさらに連結帯を備え、前記連結帯の延伸方向は、前記支持板の配列方向と平行し、又は前記支持板の配列方向と非ゼロ角をなしており、前記支持板は前記連結帯により前記マットレス本体に接続されていることを特徴とする請求項１に記載のベッド。
【請求項５】
前記支持板に着脱可能に接続されている補強板をさらに備え、前記補強板は長尺状構造となっており、前記補強板の長手方向は前記支持板の配列方向と平行し、又は前記支持板の配列方向と非ゼロ角をなしており、前記支持脚は前記補強板により前記支持板に接続されていることを特徴とする請求項１に記載のベッド。
【請求項６】
前記補強板はその長手方向に順次に着脱可能に接続されている複数のサブ板を備えることを特徴とする請求項５に記載のベッド。
【請求項７】
前記補強板は複数設置されており、複数の前記補強板は第一の方向に沿って配列されており、前記第一の方向は、前記支持板の配列方向と非ゼロ角をなしていることを特徴とする請求項５に記載のベッド。
【請求項８】
前記支持脚は前記補強板により前記支持板に接続されていることを特徴とする請求項５に記載のベッド。
【請求項９】
前記支持脚は複数設けられており、複数の前記支持脚は行列型に配列されていることを特徴とする請求項１〜８のいずれか１項に記載のベッド。
【請求項１０】
前記マットレス本体は圧縮可能な構造であることを特徴とする請求項１〜８のいずれか１項に記載のベッド。
【考案の詳細な説明】
【技術分野】
【０００１】
本考案は家具技術分野に関し、特にベッドに関するものである。
【背景技術】
【０００２】
ベッドは、我々の日常生活に不可欠な家具の１つであり、生活レベルがますます向上すること、および貨物運輸の発展に伴い、消費者が他の地方からベッドを購入することがよくあり、従来のベッドは、ベッドフレームとマットレスが別体式であることが一般であり、ベッドフレームが大きく、かつ、圧縮できず、占める空間が大きく、搬送には大きな貨物運輸車が必要であるため、搬送が便利ではなかった。
【考案の概要】
【考案が解決しようとする課題】
【０００３】
本考案は、上記の課題を解決できるベッドを提供する。
【課題を解決するための手段】
【０００４】
本考案は、
マットレス本体及び前記マットレス本体に接続されている複数の支持板を有するマットレスと、
前記支持板と着脱可能に接続されている複数の支持脚と、
を備え、
複数の前記支持板が、前記マットレスを前記支持板の配列方向に沿って巻き取ることができるように前記マットレス本体の一方の面に間隔を隔てて配列されているベッドを提供する。
【０００５】
好ましくは、前記マットレス本体は直方体構造であり、複数の前記支持板は前記マットレス本体の長手方向に沿って配列されている。
【０００６】
好ましくは、前記支持板は長尺状構造となっており、前記支持板の長手方向はマットレス本体の幅方向と一致している。
【０００７】
好ましくは、前記マットレスはさらに連結帯を備え、前記連結帯の延伸方向は、前記支持板の配列方向と平行し、又は前記支持板の配列方向と非ゼロ角をなしており、前記支持板は前記連結帯により前記マットレス本体に接続されている。
【０００８】
好ましくは、前記支持板に着脱可能に接続されている補強板をさらに備え、前記補強板は長尺状構造となっており、前記補強板の長手方向は前記支持板の配列方向と平行し、又は前記支持板の配列方向と非ゼロ角をなしており、前記支持脚は前記補強板により前記支持板に接続されている。
【０００９】
好ましくは、前記補強板はその長手方向に順次に着脱可能に接続されている複数のサブ板を備える。
【００１０】
好ましくは、前記補強板は複数設置されており、複数の前記補強板は第一の方向に沿って配列されており、前記第一の方向は、前記支持板の配列方向と非ゼロ角をなしている。
【００１１】
好ましくは、前記支持脚は前記補強板により前記支持板に接続されている。
【００１２】
好ましくは、前記支持脚は複数設けられており、複数の前記支持脚は行列型に配列されている。
【００１３】
好ましくは、前記マットレス本体が圧縮可能な構造である。
【考案の効果】
【００１４】
本考案が提供する技術案により、下記有益な効果を奏することができる。
【００１５】
本考案が提供するベッドは、着脱可能に接続されているマットレス及び支持脚を備え、マットレスはマットレス本体とマットレス本体に間隔を隔てて接続されている支持板とを有し、このようなベッド構造は、搬送又は携帯の時に、特に国内外での長距離搬送中に、マットレス全体の梱包体積を低減させ、さらに搬送を便利にするように、マットレスを支持板の配列方向に沿ってリール状に巻き取ることができる。
【００１６】
上述の一般的な説明及び後述の詳細な説明が例示的なものであり、本考案を限定することができないと理解されるべきである。
【図面の簡単な説明】
【００１７】
【図１】本考案が提供するベッドの１つの具体的な実施例の構造を模式的に示す図である。
【図２】本考案が提供するベッドにおいて、マットレス及び補強板の１つの具体的な実施例の構造を模式的に示す図である。
【図３】本考案が提供するベッドにおいて、マットレスが巻き取られた後の構造を模式的に示す図である。
【００１８】
ここでの図が明細書に盛り込まれて本明細書の一部を構成し、本考案を満たす実施例を示しており、明細書とともに本考案の原理を解釈するために用いられる。
【考案を実施するための形態】
【００１９】
以下、具体的な実施例に図面を組み合わせて本考案をさらに詳しく説明する。
【００２０】
図１〜３に示すように、本考案の実施例は、マットレス１０及び複数の支持脚２０を備えるベッドを提供する。マットレス１０はマットレス本体１１とマットレス本体１１に接続された複数の支持板１２とを有し、複数の支持板１２が間隔を隔ててマットレス本体１１の一方の面に配列されており、つまり、複数の支持板１２は、マットレス本体１１に対して支持の機能を果たすように、一列に配列され、マットレス本体１１における、床面に近い側に位置しており、このように、マットレス１０を支持板１２の配列方向に沿って巻き取ることができる。各支持脚２０は支持板１２と着脱可能に接続されている。
【００２１】
上記の構造を用いる場合、搬送時に、図３に示すように、マットレス１０が占める空間を小さくするように、マットレス１０と支持脚２０とを取り外して分離させ、マットレス１０をリール状となるように巻き取ることができる。支持脚２０を単独で収納し、このように、ベッド全体の体積を小さくすることで、搬送を便利にすることができ、特に国内外での長距離搬送中に、各々のベッドが占める空間が小さくなり、複数のベッドを同時に搬送することができる。図１に示すように、消費者が使用する際に、マットレス１０を広げ、支持脚２０を支持板１２と接続し、これにより、消費者の使用が便利になる。
【００２２】
搬送過程においてマットレス１０の体積をさらに小さくするために、マットレス本体１１が圧縮可能な構造であり、すなわち、搬送時に、まずマットレス１０と支持脚２０とを取り外し、そして、マットレス本体１１を圧縮した後、さらに巻き取る。
【００２３】
一般的には、マットレス本体１１が直方体構造であり、複数の支持板１２は、マットレス本体１１の長辺と短辺とにより形成された平面に接続されており、複数の支持板１２はマットレス本体１１の長手方向に沿って配列されてもよいし、マットレス本体１１の幅方向に沿って配列されてもよく、あるいは、マットレス本体１１の長手方向と１つの傾斜角をなす方向に沿って配列されてもよい。マットレス１０の巻き取り後の体積をなるべく小さくするために、複数の支持板１２がマットレス本体１１の長手方向に沿って配列されている。当然ながら、マットレス本体１１の長辺の寸法が短辺の寸法と等しいである場合、複数の支持板１２がマットレス本体１１の長手方向に沿って配列されてもよいし、マットレス本体１１の幅方向に沿って配列されてもよい。好ましくは、マットレス１０が広げられた後、支持板１２がマットレス本体１１に対してより良い支持作用を果たすように、複数の支持板１２がマットレス本体１１の長手方向に沿って均一に分布されている。なお、マットレス本体１１が円柱型構造（すなわち、円形ベッド）である場合、複数の支持板１２の配列方向は、マットレス本体１１の径方向に沿って設置されてもよい。
【００２４】
さらに、支持板１２は長尺状構造となっており、マットレス本体１１が直方体構造である場合、マットレス１０の強度を保証し、消費者がより心地良く寝るようにするために、支持板１２の長手方向がマットレス本体１１の幅方向と一致し、これにより、マットレス本体１１の幅方向においてできるだけ支持力の作用を受けることができる。支持板１２の長手方向もマットレス本体１１の幅方向と非ゼロ角をなしてもよいことが理解し得るであろう。当然ながら、支持板１２のブロック状構造、又は板状であってもよい。通常、支持板１２が多層の板構造である。
【００２５】
消費者がより心地良く寝るようにするために、マットレス本体１１は一定の厚さを有することが必要とされ、そうすると、支持板１２とマットレス本体１１との接続が不便となり、そのため、マットレス１０はさらに連結帯１３を備え、連結帯１３がフレキシブル構造であり、巻き取ることが可能であり、具体的に、連結帯１３の延伸方向が支持板１２の配列方向と平行し、又は非ゼロ角をなしてもよく、好ましい実施例において、連結帯１３の延伸方向が支持板１２の配列方向と平行し、すなわち、マットレス本体１１が直方体構造となっている場合、連結帯１３の延伸方向がマットレス本体１１の長手方向と一致し、連結帯１３の長さがマットレス本体１１の長さと等しくてもよく、支持板１２が連結帯１３によりマットレス本体１１に接続され、連結帯１３が接着又は縫製の方式によりマットレス本体１１に固定されてもよく、そして、支持板１２が連結帯１３に接続され、支持板１２と連結帯１３との接続は、支持板１２とマットレス本体１１との接続の安定性を向上させるように、Ｕ型釘で接続されてもよい。マットレス１０を巻き取る際に、マットレス本体１１、連結帯１３及び支持板１２を共に巻き取ることができる。
【００２６】
搬送過程においてマットレス１０が長時間にわたって巻き取り状態に保持されているため、広げられた後、マットレス１０が依然として巻き取りの傾向があり、マットレス１０の使用過程における巻き取りを防止するために、ベッドは支持板１２に着脱可能に接続された補強板３０をさらに備え、補強板３０は長尺状構造となっており、補強板３０の長手方向が支持板１２の配列方向（すなわち、マットレス１０の巻き取り方向）と平行し、又は非ゼロ角をなし、好ましくは、図２に示すように、補強板３０の長手方向が支持板１２の配列方向と平行し、このように、マットレス１０が広げられた後、マットレス１０の巻き取りを防止するように、補強板３０を複数の支持板１２と接続する。マットレス１０の搬送時に、マットレス１０の巻き取りと搬送を便利にするように、補強板３０と支持板１２とを取り外し分離させる。なお、補強板３０を追加することにより、マットレス１０が広げられた時、マットレス１０に対して支持作用を果たすこともでき、さらにベッドの支持能力を向上させ、快適さを向上させることができる。この場合、支持脚２０が補強板３０により支持板１２に接続されている。
【００２７】
補強板３０は一体型構造であってもよいし、別体式構造であってもよく、別体式構造である場合、図２に示すように、補強板３０はその長手方向に沿って順次に着脱可能に接続された複数のサブ板３１を備え、マットレス１０のサイズが一般的に大きいため、補強板３０を各支持板１２のいずれもに接続させるために、補強板３０の長さを大きくする必要があり、そうすると、搬送が不便となるが、補強板３０を別体式構造とすることで、搬送時に、搬送を便利にするように、補強板３０を複数のサブ板３１と分解することができる。マットレス１０が広げられた時、マットレス１０の巻き取りを防止するように、複数のサブ板３１を再び補強板３０となるように接続する。
【００２８】
補強板３０が一体型であっても別体式であっても、補強板３０が１つのみ設置されてもよく、複数、例えば２つ、３つ又はそれ以上設置されてもよく、複数の補強板３０は第一の方向に沿って配列されてもよく、ただし、第一の方向が支持板１２の配列方向と非ゼロ角をなし、例えば、第一の方向が支持板１２の配列方向と垂直し、または、複数の補強板３０が互いに交互に設置され、複数の補強板３０を設置することにより、マットレス１０の巻き取りをさらに防止することができ、かつ、ベッドの快適さを向上させることができる。選択的に、補強板３０が２つ設置され、マットレス本体１１が直方体構造である場合、図２に示すように、２つの補強板３０が、マットレス１０の縁を支持するように、マットレス本体１１の幅方向に沿って配列されている。
【００２９】
補強板３０が設置されている場合、支持脚２０が補強板３０により支持板１２に接続され、かつ、支持脚２０と補強板３０、補強板３０と支持板１２はいずれも着脱可能に接続されており、これにより、搬送をより便利にする。
【００３０】
通常、支持脚２０が複数、例えば、４つ、６つ、８つなど設置されており、複数の支持脚２０は、支持脚２０のマットレス１０に対する支持の安定性を向上させるように、行列型に配列されている。好ましくは、支持脚２０が６つ設置されており、図１に示すように、６つの支持脚２０が二行三列に配列され、これにより、マットレス１０の安定性を保証することができるとともに、材料を節約することもできる。
【００３１】
支持脚２０の材質が木材又は金属であってもよいと理解することができ、搬送過程における重量を軽減させるために、支持脚２０の材質は木材であることが好ましい。
【００３２】
上述したのは、本考案の好ましい実施例に過ぎず、本考案を限定するためではなく、当業者にとって、本考案は各種の変更及び変化を有することができる。本考案の精神及び原則内で行った任意の改正、等価置換、改進などが、いずれも本考案の保護範囲内に含まれるべきである。
【符号の説明】
【００３３】
１０ マットレス
１１ マットレス本体
１２ 支持板
１３ 連結帯
２０ 支持脚
３０ 補強板  
３１ サブ板  
【図１】
0003213233.tif 000003
【図２】
0003213233.tif 000004
【図３】
0003213233.tif 000005